(57)【要約】【課題】本発明は、天井扇風機において、羽根落下防止手段の取り付け忘れを防止し、羽根落下防止手段の作業性を、更に向上させることを目的とするものである。【解決手段】そして、この目的を達成するために本発明は、天井１に係合可能な連結部４と、この連結部４の下部に備えたモータ部７と、このモータ部７の周縁に回転自在に設けた支持部１０と、この支持部１０に備えた複数の固定部１７と、この固定部１７に着脱可能に設けた複数の金属製の羽根部１１と、この羽根部１１を支持部１０に係止する羽根落下防止手段２７とから構成している。この羽根落下防止手段２７は、支持部１０から伸びる係止部２８と、この係止部２８が係止可能な係止用孔部２９とからなり、羽根部１１は、係止部２８を係止用孔部２９に挿入すると共に、固定孔部１５を介して固定部１７に固定される連結手段によって支持部１０に固定できることを特徴とするものである。【選択図】図３
2014190223.tif 000002
【特許請求の範囲】
【請求項１】
天井に係合可能な連結部と、この連結部の下部に備えたモータ部と、このモータ部の周縁に回転自在に設けた支持部と、この支持部に備えた複数の固定部と、この固定部に着脱可能に設けた複数の金属製の羽根部と、この羽根部を支持部に係止する羽根落下防止手段とから構成し、この羽根部は、前記支持部に固定される根元部と、前記支持部が回転することにより空気を送風する翼部と、前記根元部と前記翼部の間に備えた前記翼部を水平より傾けた状態に維持する段差部とから一体に形成し、前記翼部には、前記羽根部の回転方向における上流側に、下方に向けて窪んだ第１の窪み部と、前記羽根部の回転方向における下流側に、下方に向けて窪んだ第２の窪み部と、前記根元部から前記翼部の途中まで伸び、水平断面形状が凹形状である複数の補強部とを備え、前記段差部は、下流側から上流側へ向かうにしたがって前記根元部から斜め下方へ伸びる距離が大きくなり、前記第１の窪み部は、下流側から上流側へ向かうにしたがって下方へ傾斜し、前記第２の窪み部は、前記羽根部の下流側の端部から上流側への寸法は、前記翼部の根元側が、先端側より大きく、
前記第２の窪み部の前記翼部の根元側の端部は、下流側から上流側へ向かうにしたがって前記翼部の先端寄りに位置し、前記第２の窪み部の前記翼部の根元側での、前記羽根部の下流側の端部から上流側への寸法は、前記第１の窪み部での、前記羽根部の上流側の端部から下流側への寸法より大きく、前記補強部の長さは、下流側から上流側へ向かうにしたがって長くなると共に、前記補強部での前記羽根部の回転方向における寸法は、上流側が下流側に比べ小さく、前記根元部には、孔である係止用孔部と複数の固定孔部とを有し、前記羽根落下防止手段は、前記支持部から下方へ伸びる係止部と、この係止部が係止可能な前記係止用孔部とからなり、前記羽根部は、前記係止部を前記係止用孔部に挿入すると共に、前記固定孔部を介して前記固定部に固定される連結手段によって前記支持部の下面に固定できる構成であることを特徴とする天井扇風機。
【請求項２】
前記羽根部の回転方向における上流側の前記補強部は、前記第１の窪み部まで伸びていることを特徴とする請求項１に記載の天井扇風機。
【請求項３】
前記固定孔部は、隣り合った前記補強部との間に設けたことを特徴とする請求項１または２に記載の天井扇風機。
【請求項４】
複数の前記補強部の前記羽根部における前記根元部側の端部は、前記羽根部の端部まで伸びたことを特徴とする請求項１から３のいずれかに記載の天井扇風機。
【発明の詳細な説明】
【技術分野】
【０００１】
本発明は、天井から吊下げられた天井扇風機に関する。
【背景技術】
【０００２】
従来、この種の天井扇風機の構成は、以下のようになっていた。すなわち、天井に係合可能な連結部と、この連結部の下部に備えたモータ部と、このモータ部の周縁に回転自在に設けた支持部と、この支持部に備えた複数の固定部と、この固定部に着脱可能に設けた複数の金属製の羽根部と、この羽根部を支持部に係止する羽根落下防止手段とから構成している。この羽根部は、支持部に固定される根元部と、支持部が回転することにより空気を送風する翼部と、根元部と翼部の間に備えた翼部を水平より傾けた状態に維持する段差部とから一体に形成している。根元部には、孔である複数の固定孔部を有し、翼部には、係止用孔部を設けている。羽根落下防止手段は、係止用孔部に係止可能な係止部と、この係止部に孔である係止部固定用孔部とを備えている。連結手段によって、羽根部は、固定孔部を介し、係止部は係止部固定用孔部を介し、支持部の固定部に固定される構成となっていた。
【０００３】
例えば、これに類似する先行文献は下記特許文献１に記載されている。
【先行技術文献】
【特許文献】
【０００４】
【特許文献１】特開２００９−１２１２４３号公報
【発明の概要】
【発明が解決しようとする課題】
【０００５】
上記従来例における課題は、羽根落下防止手段の作業性を更に向上させることであった。
【０００６】
従来現場では、羽根落下防止手段は、羽根部と共に支持部にねじで共締めされていた。
この羽根落下防止手段は、羽根部に係止され、テープ等で固定されており、このテープ等によって羽根部に羽根落下防止手段を固定した状態で、羽根部と共に、支持部にねじ止めされていた。そのため、現場で、テープ等がはがれることによって、誤って羽根落下防止手段と羽根部とが共に支持部にねじで共締めされずに、羽根部のみが支持部にねじ止めされる可能性があった。
【０００７】
そこで、本発明は、羽根落下防止手段の取り付け忘れを防止し、羽根落下防止手段の作業性を、更に向上させることを目的とするものである。
【課題を解決するための手段】
【０００８】
そして、この目的を達成するために、本発明は、天井に係合可能な連結部と、この連結部の下部に備えたモータ部と、このモータ部の周縁に回転自在に設けた支持部と、この支持部に備えた複数の固定部と、この固定部に着脱可能に設けた複数の金属製の羽根部と、この羽根部を支持部に係止する羽根落下防止手段とから構成し、この羽根部は、前記支持部に固定される根元部と、前記支持部が回転することにより空気を送風する翼部と、前記根元部と前記翼部の間に備えた前記翼部を水平より傾けた状態に維持する段差部とから一体に形成し、前記根元部には、孔である係止用孔部と複数の固定孔部とを有し、前記羽根落下防止手段は、前記支持部から伸びる係止部と、この係止部が係止可能な前記係止用孔部とからなり、前記羽根部は、前記係止部を前記係止用孔部に挿入すると共に、前記固定孔部を介して前記固定部に固定される連結手段によって前記支持部に固定できる構成であることを特徴ととしたものであり、これにより所期の目的を達成するものである。
【発明の効果】
【０００９】
本発明によれば、天井に係合可能な連結部と、この連結部の下部に備えたモータ部と、このモータ部の周縁に回転自在に設けた支持部と、この支持部に備えた複数の固定部と、この固定部に着脱可能に設けた複数の金属製の羽根部と、この羽根部を支持部に係止する羽根落下防止手段とから構成し、この羽根部は、前記支持部に固定される根元部と、前記支持部が回転することにより空気を送風する翼部と、前記根元部と前記翼部の間に備えた前記翼部を水平より傾けた状態に維持する段差部とから一体に形成し、前記根元部には、孔である係止用孔部と複数の固定孔部とを有し、前記羽根落下防止手段は、前記支持部から伸びる係止部と、この係止部が係止可能な前記係止用孔部とからなり、前記羽根部は、前記係止部を前記係止用孔部に挿入すると共に、前記固定孔部を介して前記固定部に固定される連結手段によって前記支持部に固定できる構成であることを特徴とするものであり、羽根落下防止手段の作業性を、更に向上させることができるものである。
【００１０】
すなわち、羽根部は、係止部を係止用孔部に挿入すると共に、固定孔部を介して固定部に固定される連結手段によって支持部に固定できる構成である。つまり、羽根部は、係止部を係止用孔部に挿入しないと、連結手段によって支持部の固定部に固定できないので、羽根落下防止手段の取り付け忘れを防止し、羽根落下防止手段の作業性を、更に向上させることができるものである。
【図面の簡単な説明】
【００１１】
【図１】本発明の実施の形態１の天井扇風機の概要を示す図
【図２】同天井扇風機における羽根部の根元部の概要を示す図
【図３】同天井扇風機における羽根部の概要を示す図
【発明を実施するための形態】
【００１２】
以下、本発明の実施の形態について図面を参照しながら説明する。
【００１３】
（実施の形態１）
図１は、本発明の実施の形態の天井扇風機の概要を示す図である。図２は、本発明の実施の形態の天井扇風機本体における羽根部の根元部を下から見た図である。図３は、本発明の実施の形態の天井扇風機本体の羽根部を上から見た図である。
【００１４】
図１から３に示すように、天井扇風機は天井１に固定される吊下部２と、吊下部２を介して係合可能な天井扇風機本体３とから構成されている。天井扇風機本体３は連結部４と、モータ部７と、羽根部１１と、本体カバー部１６と、羽根落下防止手段２７とを備えている。
【００１５】
天井扇風機本体３は上部に、吊下部２に吊下げ可能な連結部４を備えている。連結部４は、吊下部２に直接引っ掛けられるジョイント部分５と、このジョイント部分５の下部に固定された円筒形状のパイプ部分６とから構成している。
【００１６】
パイプ部分６の下部には、モータ部７が固定されている。モータ部７は、パイプ部分６の下部に固定される略円板形状のステータ部（図示せず）と、ステータ部の外周を回転自在な略環形状のロータ部（図示せず）とから構成している。このロータ部の下面には、ロータ部の下面を覆う椀形状のモータ下カバー２０を備えている。
【００１７】
モータ下カバー２０の側周面には、支持部１０が設けられている。この支持部１０には、ねじ孔である２つの固定部１７を備えている。このねじ孔に、連結手段１８であるネジによって、着脱可能な複数の金属製の羽根部１１が固定される。この羽根部１１は、ロータ部から外方水平方向に延びるように固定される。
【００１８】
モータ下カバー２０の下面の周縁部には、平面である受け部１９を備えている。この受け部１９には、孔２０ａを有している。
【００１９】
ロータ部の下面からは、係止部２８が伸びている。ロータ部と係止部２８とは一体で形成されている。
【００２０】
係止部２８は、ロータ部９の下面から垂直下方へ伸びたＬ字形状の突起である。四角柱形状である第１の係止部３２と、この第１の係止部３２の下端から内方に伸びた四角柱形状である第２の係止部３３とからなる。モータ下カバー２０の受け部１９の孔２０ａを介して、係止部２８は、モータ下カバー２０より下方へ伸びている。
【００２１】
羽根部１１の後述する根元部１２の上面が、モータ下カバー２０の下面、つまり受け部１９と接触した状態で、羽根部１１は、ねじ孔に、連結手段１８であるネジによって、着脱可能な複数の金属製の羽根部１１が固定される。この羽根部１１は、ロータ部から外方水平方向に延びるように固定される。
【００２２】
羽根部１１は、材質は金属板であり、根元部１２と、翼部１３と、段差部１４とから構成されている。
【００２３】
根元部１２は、羽根部１１における一方側であるモータ部７側に位置し、略四角平板形状で支持部１０に固定される２つの円形状の孔である固定孔部１５と、１つの長方形状の孔である係止用孔部２９を有する。
【００２４】
それぞれの固定孔部１５は、羽根部１１の回転方向１１ａにおける上流側１１ｃの端部寄りと、下流側１１ｂの端部寄りに位置するものである。
【００２５】
この固定孔部１５を介して、連結手段１８であるネジを支持部１０の固定部１７である２つのねじ孔に固定することによって、羽根部１１は、支持部１０の下面に固定される。
【００２６】
受け部１９は、略円板形状のモータ下カバー２０の周縁部に位置している。
【００２７】
羽根部１１の固定孔部１５を介して、連結手段１８であるネジを支持部１０の固定部１７である２つのねじ孔に固定することによって、羽根部１１、およびモータ下カバー２０が、支持部１０に固定される。
【００２８】
係止用孔部２９は、根元部１２の羽根部１１の回転方向１１ａにおける中央に位置し、根元部１２から段差部１４方向へ伸びる長四角形状である。
【００２９】
羽根部１１を支持部１０に固定する場合には、まず、羽根部１１の係止用孔部２９に、受け部１９から伸びた係止部２８を挿入する。ここで、係止部２８の第２の係止部３３を、係止用孔部２９に挿入し、羽根部１１を羽根部１１の先端方向へ所定の距離移動させると、羽根部１１の固定孔部１５と、固定部１７のねじ孔とが連通する。この状態で、羽根部１１の固定孔部１５とを介して、連結手段１８であるネジを支持部１０の固定部１７である２つのねじ孔に固定することによって、羽根部１１が、支持部１０に固定される。
【００３０】
翼部１３は、羽根部１１における他方側である外方側に位置し、ロータ部９が回転することにより空気を送風する部分である。
【００３１】
段差部１４は、根元部１２と翼部１３の間に位置し、翼部１３を水平より傾けた状態に維持するものである。段差部１４は、根元部１２の端部から翼部１３の端部へ伸びる平板形状であり、羽根部１１の矢印の回転方向１１ａにおける下流側１１ｂから上流側１１ｃへ向かうにしたがって、根元部１２から斜め下方へ伸びる距離が大きくなる。つまり、段差部１４は、略三角形状の平板である。
【００３２】
これら根元部１２と翼部１３と段差部１４とは、一体で形成されている。つまり、一枚の金属板からプレス加工によって製造されたものである。
【００３３】
天井扇風機の送風動作について説明する。天井扇風機は、モータ部７に通電することにより、モータ部７であるロータ部９が、回転する。この回転によって、ロータ部９周縁部の支持部１０に固定された羽根部１１も回転する。ここで、翼部１３は、段差部１４によって、羽根部１１の回転方向１１ａにおける下流側１１ｂから上流側１１ｃへ向かうにしたがって斜め下方へ傾斜しているので、翼部１３の下面に沿って流れる空気が、天井側から床方向へ送風されるものである。
【００３４】
本実施形態における特徴は、羽根落下防止手段２７にある。この羽根落下防止手段２７は、羽根部１１を支持部１０に係止するもので、ロータ部９から伸びる係止部２８と、この係止部２８が係止可能な羽根部１１の根元部１２の孔である係止用孔部２９とから構成している。ここで、羽根部１１は、係止部２８を係止用孔部２９に挿入すると共に、固定孔部１５を介して固定部１７に固定される連結手段１８によって支持部１０に固定できる構成である。
【００３５】
すなわち、羽根部１１は、係止部２８を係止用孔部２９に挿入すると共に、固定孔部１５を介して固定部１７に固定される連結手段によって支持部１０に固定できる構成である。つまり、羽根部１１は、係止部２８を係止用孔部２９に挿入しないと、連結手段によって支持部１０の固定部１７に固定できないので、羽根落下防止手段２７の取り付け忘れを防止し、羽根落下防止手段２７の作業性を、更に向上させることができるものである。
【００３６】
また、羽根部１１には、第１の窪み部２１と、第２の窪み部２２と、補強部２３とを有している。
【００３７】
第１の窪み部２１は、下方に向けて窪んだ形状で、翼部１３の羽根部１１の回転方向１１ａにおける上流側１１ｃに設けられている。第１の窪み部２１は、下流側１１ｂから上流側１１ｃへ向かうにしたがって下方へ傾斜している。
【００３８】
第２の窪み部２２は、下方に向けて窪んだ形状で、翼部１３の羽根部１１の回転方向１１ａにおける下流側１１ｂに設けられている。第２の窪み部２２は、羽根部１１の下流側１１ｂの端部から上流側１１ｃへの寸法は、翼部１３の根元側が、先端側より大きい。第２の窪み部２２の翼部の根元側の端部２４は、下流側１１ｂから上流側１１ｃへ向かうにしたがって翼部１３の先端寄りに位置している。ここで、第２の窪み部２２の翼部１３の根元側での、羽根部１１の下流側１１ｂの端部から上流側１１ｃへの寸法は、第１の窪み部２１での、羽根部１１の上流側１１ｃの端部から下流側１１ｂへの寸法より大きいものである。
【００３９】
補強部２３は、根元部１２から翼部１３の途中まで伸び、水平断面形状が凹形状で、複数備えている。下流側１１ｂの補強部２３の先端は、段差部１４と第２の窪み部２２との間に位置する。補強部２３の長さは、下流側１１ｂから上流側１１ｃへ向かうにしたがって長くなると共に、翼部１３での補強部２３の羽根部１１の回転方向１１ａにおける寸法は、上流側１１ｃが下流側１１ｂに比べ小さいものである。
【００４０】
以上の構成により、第２の窪み部２２の翼部１３の根元側での、羽根部１１の下流側１１ｂの端部から上流側１１ｃへの寸法は、第１の窪み部２１での、羽根部１１の上流側１１ｃの端部から下流側１１ｂへの寸法より大きいので、段差部１４と第１の窪み部２１、および第２の窪み部２２との間の応力集中は、上流側１１ｃに比べ下流側１１ｂが大きくなる。
【００４１】
そこで、段差部１４と第１の窪み部２１、および第２の窪み部２２との間の応力集中を緩和する為に、複数の補強部２３を備えている。
【００４２】
すなわち、補強部２３の長さは、下流側１１ｂから上流側１１ｃへ向かうにしたがって長くなると共に、翼部１３での補強部２３の羽根部１１の回転方向１１ａにおける寸法は、上流側１１ｃが下流側１１ｂに比べ小さくする。これにより、下流側１１ｂでは、上流側１１ｃに比べ、補強部２３の長さは、短いが、補強部２３の回転方向１１ａにおける寸法が、大きいので、応力集中がより緩和される。一方、上流側１１ｃでは、段差部１４は、下流側１１ｂから上流側１１ｃへ向かうにしたがって根元部１２から斜め下方へ伸びる距離が大きくなるので、下流側１１ｂに比べ上流側１１ｃは、応力集中が緩和されている。そこで、下流側１１ｂに比べ、上流側１１ｃでは、補強部２３の長さは、長いが、補強部の回転方向１１ａにおける寸法が、小さすることにより、応力集中がより緩和されると共に、上流側１１ｃと下流側１１ｂとの応力集中のバランスが向上して、羽根部１１に発生する応力集中を分散させ、羽根部１１の強度を更に向上させることができるものである。
【００４３】
結果として、固定孔部１５と固定孔部１５に近接すると共に羽根部１１の回転方向における上流側端部および下流側端部に設けた補強部２３との間に、最も応力が集中する。これにより、この部分から長期使用における繰返し荷重による金属疲労による破損が発生し、固定孔部１５と、固定孔部１５に近接する補強部２３との間が破損する場合がある。
【００４４】
このように、固定孔部１５と固定孔部１５に近接する補強部２３との間が破損した場合でも、羽根部１１は、係止用孔部２９に挿入された支持部１０から伸びる係止部２８によって確実に係止され、落下を防止できる。
【００４５】
羽根部１１の回転方向１１ａにおける上流側１１ｃの補強部２３は、第１の窪み部２１まで伸びている。仮に、補強部２３と第１の窪み部２１とが連結していないと、補強部２３と第１の窪み部２１との間に応力集中が発生する。更に、上流側１１ｃである第１の窪み部２１と段差部１４との間の補強部２３の数は、下流側１１ｂである第２の窪み部２２と段差部１４との間の補強部２３の数より少ないので、上流側１１ｃと下流側１１ｂとの応力集中のバランスがくずれると考えられる。すなわち、上流側１１ｃの補強部２３が、第１の窪み部２１まで伸び、上流側１１ｃの補強部２３と第１の窪み部２１とが連結することにより、上流側１１ｃと下流側１１ｂとの応力集中のバランスが向上すると考えられる。
【００４６】
結果として、固定孔部１５と固定孔部１５に近接すると共に羽根部１１の回転方向における上流側端部および下流側端部に設けた補強部２３との間に、最も応力が集中する。これにより、この部分から長期使用における繰返し荷重による金属疲労による破損が発生し、固定孔部１５と、固定孔部１５に近接する補強部２３との間が破損する場合がある。
【００４７】
このように、固定孔部１５と固定孔部１５に近接する補強部２３との間が破損した場合でも、羽根部１１は、係止用孔部２９に挿入された支持部１０から伸びる係止部２８によって確実に係止され、落下を防止できる。
【００４８】
支持部１０には、複数の固定部１７を備え、羽根部１１の根元部１２には、孔である複数の固定孔部１５を有している。この固定孔部１５を介して、固定部１７に固定される連結手段１８によって羽根部１１は支持部１０の下面に固定され、固定孔部１５は、隣り合った補強部２３との間に設けてられている。
【００４９】
具体的には、上流側１１ｃの固定孔部１５は、最も上流側１１ｃである第１の補強部２３ａと、この第１の補強部２３ａの隣に位置する第２の補強部２３ｂとの間に位置するものである。下流側１１ｂの固定孔部１５は、最も下流側１１ｂである第３の補強部２３ｃと、この第３の補強部２３ｃの隣に位置する第４の補強部２３ｄとの間に位置するものである。これにより、固定孔部１５の周囲で発生する応力集中を緩和することができる。
【００５０】
複数の補強部２３の羽根部１１における根元部１２側の端部２５は、羽根部１１のモータ部７側の端部まで伸びている。
【００５１】
これにより、羽根部１１のモータ部７側の端部の強度が向上し、羽根部１１のモータ部７側の端部で発生する応力集中を緩和することができる。
【産業上の利用可能性】
【００５２】
本発明によれば、天井に係合可能な連結部と、この連結部の下部に備えたモータ部と、このモータ部の周縁に回転自在に設けた支持部と、この支持部に備えた複数の固定部と、この固定部に着脱可能に設けた複数の金属製の羽根部と、この羽根部を支持部に係止する羽根落下防止手段とから構成し、この羽根部は、前記支持部に固定される根元部と、前記支持部が回転することにより空気を送風する翼部と、前記根元部と前記翼部の間に備えた前記翼部を水平より傾けた状態に維持する段差部とから一体に形成し、前記根元部には、孔である係止用孔部と複数の固定孔部とを有し、前記羽根落下防止手段は、前記支持部から伸びる係止部と、この係止部が係止可能な前記係止用孔部とからなり、前記羽根部は、前記係止部を前記係止用孔部に挿入すると共に、前記固定孔部を介して前記固定部に固定される連結手段によって前記支持部に固定できる構成であることを特徴とするものであり、羽根落下防止手段の作業性を、更に向上させることができるものである。
【００５３】
すなわち、羽根部は、係止部を係止用孔部に挿入すると共に、固定孔部を介して固定部に固定される連結手段によって支持部に固定できる構成である。つまり、羽根部は、係止部を係止用孔部に挿入しないと、連結手段によって支持部の固定部に固定できないので、羽根落下防止手段の取り付け忘れを防止し、羽根落下防止手段の作業性を、更に向上させることができるものである。
【００５４】
従って、家庭用や事務用などの、天井扇風機としての活用が期待されるものである。
【符号の説明】
【００５５】
１    天井
２    吊下部
３    天井扇風機本体
４    連結部
５    ジョイント部分
６    パイプ部分
７    モータ部
１０    支持部
１１    羽根部
１１ａ  回転方向
１１ｂ  下流側
１１ｃ  上流側
１２    根元部
１３    翼部
１４    段差部
１５    固定孔部
１６    本体カバー部
１７    固定部
１８    連結手段
１９    受け部
２０    モータ下カバー
２０ａ  孔
２１    第１の窪み部
２２    第２の窪み部
２３    補強部
２３ａ  第１の補強部
２３ｂ  第２の補強部
２３ｃ  第３の補強部
２３ｄ  第４の補強部
２４    端部
２５    端部
２７    羽根落下防止手段
２８    係止部
２９    係止用孔部
３２    第１の係止部
３３    第２の係止部
【図１】
2014190223.tif 000003
【図２】
2014190223.tif 000004
【図３】
2014190223.tif 000005